(57)【特許請求の範囲】
【請求項１】
内部体積を画定するように、対向した後壁及び前壁と、一方の端部において前記後壁及び前壁を相互接続する端壁とを有するカートンを備える包装アセンブリであって、前記カートンが、製品が分配され得る、前記一方の端部とは反対の第２の端部において、前記前壁と後壁との間の開口部を画定し、かつ前記後壁と枢動可能に接続された押し上げ式蓋の形態の閉鎖部材を有し、前記閉鎖部材は、前記内部体積中に製品を保持するために、前記開口部を閉鎖する閉鎖位置と、製品が前記開口部を通して分配され得る製品分配位置との間で移動可能であり、前記包装アセンブリが、前記内部体積内に位置する、細長い可食性製品の少なくとも１つの積み重ねを備え、前記少なくとも１つの積み重ね中の前記製品が、前記前壁から前記後壁への方向に縦に並んで位置付けられ、前記少なくとも１つの積み重ねが、前記少なくとも１つの積み重ね中の前記製品のうちの少なくとも最前方の１つの端部領域が可撓性外側ラッパーから突出するように、前記ラッパーによって、一方の端部の周囲で部分的に包囲され、前記ラッパーが前記カートンに貼り付けられ、前記包装アセンブリが、前記閉鎖位置で前記蓋を解放可能に固定するための締結配列を有し、少なくとも１つの開口が、前記前壁中に画定され、前記少なくとも１つの開口を通して、前記少なくとも１つの積み重ね中の前記製品のうちの前記少なくとも最前方の１つの前記端部領域が、前記閉鎖部材が前記製品分配位置にあるとき、前記開口部を通して前記製品を前記ラッパー及び前記カートンから出すように係合され得る、包装アセンブリ。
【請求項２】
前記締結配列が、前記閉鎖位置で前記蓋を解放可能に保持するために、前記蓋及び前記前壁上に共動形成物を備える、請求項１に記載の包装アセンブリ。
【請求項３】
前記包装アセンブリが、前記内部体積内で並んで配列される、細長い可食性製品の少なくとも２つの積み重ねを備え、製品の各積み重ねが、可撓性外側ラッパーによって部分的にのみ包囲される、請求項１又は２に記載の包装アセンブリ。
【請求項４】
前記包装アセンブリが、前記内部体積内で細長い可食性製品の単一の積み重ねからなる、請求項１又は２に記載の包装アセンブリ。
【請求項５】
前記又は各可撓性外側ラッパーが、前記カートンに接着される、請求項１〜４のいずれか一項に記載の包装アセンブリ。
【請求項６】
前記又は各可撓性外側ラッパーが、一方の端部の周囲で細長い可食性製品のそのそれぞれの積み重ねを包み込み、前記積み重ね中の前記製品の他方の端部が、前記ラッパーを越えて突出する、請求項１〜５のいずれか一項に記載の包装アセンブリ。
【請求項７】
前記カートンが、折り畳み可能な材料のブランクから形成される、請求項１〜６のいずれか一項に記載の包装アセンブリ。
【請求項８】
前記カートンがまた、前記内部体積を画定するように、前記後壁と前壁との間に延在する一対の対向した側壁も備える、請求項１〜７のいずれか一項に記載の包装アセンブリ。
【請求項９】
前記細長い可食性製品が全て個々に包装される、請求項１〜８のいずれか一項に記載の包装アセンブリ。
【請求項１０】
前記細長い可食性製品がガムスティックである、請求項１〜９のいずれか一項に記載の包装アセンブリ。
【請求項１１】
請求項１〜１０のいずれか一項に記載の包装アセンブリを製造する方法であって、前記カートンを形成するための折り畳み可能な材料のブランクを生成する工程と、可撓性外側ラッパー中に、細長い可食性製品の少なくとも１つの積み重ねを部分的に包み込む工程と、前記ブランク上に前記少なくとも１つの積み重ねを位置付ける工程と、前記又は各可撓性外側ラッパーを前記ブランクに貼り付ける工程と、前記カートンを形成するために前記積み重ねの周囲で前記ブランクを折り畳み、適切な位置で固定する工程と、を含む、方法。
【請求項１２】
前記又は各可撓性外側ラッパーを前記ブランクに貼り付ける前記工程が、前記カートンが完全に形成される前に実施される、請求項１１に記載の方法。
【請求項１３】
前記又は各可撓性外側ラッパーを前記ブランクに貼り付ける前記工程が、前記内部体積を画定するように、前記ブランクが前記積み重ねの周囲で折り畳まれる前に実施される、請求項１２に記載の方法。
【請求項１４】
前記又は各可撓性外側ラッパーが、前記内部体積を画定するように、前記ブランクが前記少なくとも１つの積み重ねの周囲で折り畳まれる前に、前記ブランクの第１の部分に貼り付けられ、前記ブランクを折り畳む前記工程中、前記ブランクの更なる部分に貼り付けられる、請求項１３に記載の方法。
【発明の詳細な説明】
【技術分野】
【０００１】
本発明は、製品のための包装に関する。本発明は、具体的には、細長い製品、及びより具体的にはガムスティックを含む細長い可食性製品のための包装に関するがこれに限定されない。
【背景技術】
【０００２】
チューインガムを含むガムは、ガムスティック、ガムスラブ、及びガムペレットを含む種々の形態で生成され、多くの異なる方法で包装される。
【０００３】
ガムスティックを包装する一方法において、スティックは最初に個々に包装され、多くの包装されたスティックが次いで、可撓性外側上包から形成される密閉パケット中に、縦に並んで積み重ねられて包装される。外側上包は典型的に、パッケージの内容物を水分損失から保護するために、かつパッケージの保存期間を延ばすために、水分及び／又は酸素を通さない材料から作られる。包装を開放するために、外側パケットの一方の端部は、パケットの一端を取り外すために裂ける。これは、個々に包装されたスティックへのアクセスを可能にし、それらは、開放端部を通して選択的に取り出され得る。
【０００４】
この種の包装は、消費者に人気があることが分かっており、自動プロセスを使用して製造するのに便利である。しかしながら、欠点は、いったん外側パケットが開放され、１つ以上のガムスティックが取り出されると、残りのスティックがパケットの残部中にしっかりと保持されないことである。これは、そのような残りのスティックが、特にパケットが直立状態のままではない可能性がある人のポケット又はバッグ中に残されるとき、パケットから落ちる可能性があることを意味する。更なる問題は、この種の包装が、ガムスティックの単一の積み重ねを包装するのに最も適していることである。今日の消費者は多くの場合、単一の積み重ねで効果的に包装することができないより大きい量のガムを購入したいと思う。
【０００５】
他のガム製品が開発されるにつれて、代替の形態の包装もまた開発されてきた。例えば、ガムスラブは多くの場合、厚紙又は板紙等、折り畳み可能な材料のブランクから形成されるカートン中に包装される。スラブは典型的に、カートン中に並んで配列され、それは、再閉鎖可能なフラップ又は他の閉鎖部材を有してもよい。再閉鎖可能なカートンは、それが開放され、製品の一部が取り出された後に、残りの製品がカートン中にしっかりと保持されているという利点を有する。カートンはまた、それらが、ロゴ及び他のグラフィックデザイン特性等の情報が印刷され得る比較的大きい表面積を提供するという点、並びにそれらが、より大きい量のガムを包装するように寸法決定され得るという点で有利である。カートンはまた、それらを可撓性パケットよりも高い基準の包装であると見なす消費者の興味を引く。
【０００６】
しかし、カートンは、ガムスラブ又はガムスティック等の細長い製品のための包装として使用されるとき、欠点を有する。カートンが形成されるとき、カートン内に製品を正しく位置付けることが困難であり得るため、製造はより複雑になり得る。更に、再閉鎖可能なカートンが最初の開口後に製品をうまく保持する一方で、いったん１つ以上の製品が取り出されると、カートン中で直立位置で製品を保持することが困難である。この問題を克服するために、製品をそれらの正しい配列で保持するために、各個々の製品をカートン若しくはインサートに接着させること、及び／又はカートン中で追加の要素を使用することを含む、多くの解決法が提案されてきた。これらの解決法は効果的であるが、それらは、包装の複雑性、したがって製造費を増大させる。
【発明の概要】
【発明が解決しようとする課題】
【０００７】
その結果、既知の包装配列の不利点の一部又は全部を克服するか、又は少なくとも軽減する、代替の包装配列の必要性がある。
【課題を解決するための手段】
【０００８】
本発明の第１の態様によると、内部体積を画定するように、対向した後壁及び前壁と、一方の端部において後壁及び前壁を相互接続する端壁とを有するカートンを備える包装アセンブリが提供され、カートンが、製品が分配され得る、前記一方の端部とは反対の第２の端部において、前壁と後壁との間の開口部を画定し、かつ内部体積中に製品を保持するために、開口部を閉鎖する閉鎖位置と、製品が開口部を通して分配され得る製品分配位置との間で移動可能な閉鎖部材を有し、包装アセンブリが、内部体積内に位置する、細長い可食性製品の少なくとも１つの積み重ねを備え、少なくとも１つの積み重ね中の製品が、前壁から後壁への方向に縦に並んで位置付けられ、少なくとも１つの積み重ねが、可撓性外側ラッパーによって、一方の端部の周囲で少なくとも部分的に包囲され、ラッパーがカートンに貼り付けられる。
【０００９】
一実施形態では、製品がラッパー及びカートンから出されることを可能にするために、少なくとも閉鎖部が製品分配位置にあるとき、ラッパーが細長い可食性製品の積み重ねを部分的にのみ包囲し、少なくとも１つの積み重ね中の製品のうちの少なくとも最前方の１つの露出された端部領域が、ラッパーから突出し、かつ係合可能である。
【００１０】
代替の実施形態では、製品がラッパー及びカートンから出されることを可能にするために、少なくとも閉鎖部が製品分配位置にあるとき、ラッパーが細長い可食性製品の積み重ねを完全に包囲し、ラッパーが、積み重ねの一方の端部において開放可能な分配領域を画定する、１つ以上の脆弱線を有し、分配領域が閉鎖部に貼り付けられ、閉鎖部の製品分配位置への最初の移動で、ラッパーが脆弱線に沿って裂け、少なくとも１つの積み重ね中の製品のうちの少なくとも最前方の１つの端部領域を露出させるようにし、上記の露出された端部領域が係合可能である。
【００１１】
一実施形態では、少なくとも１つの開口が、前壁中に画定され、少なくとも１つの開口を通して、少なくとも１つの積み重ね中の製品のうちの少なくとも最前方の１つの露出された領域が、製品をラッパー及びカートンから出すように係合され得る。開口は、その周辺全体で、前壁によって周囲を境界されてもよい。
【００１２】
一実施形態では、前壁が後壁よりも短く、少なくとも１つの積み重ね中の製品のそれぞれの露出された領域が、少なくとも１つの積み重ね中の少なくとも最前方の製品の露出された領域が、閉鎖部材が分配位置にあるとき、製品がラッパー及びカートンから出されることを可能にするように係合可能であるように、前壁の上縁を越えて突出する。
【００１３】
閉鎖部材が、後壁と枢動可能に接続されたフラップを備えてもよく、フラップが、閉鎖位置にあるとき、製品の端部の周囲に延在し、前壁の少なくとも一部と重なり合い、包装アセンブリが、閉鎖位置でフラップを解放可能に固定するための締結配列を有する。包装アセンブリが細長い製品の２つ以上の積み重ねを備える場合、かつ各ラッパーが積み重ねの一方の端部において開放可能な分配領域を画定する、１つ以上の脆弱線を有する場合、カートンが、各積み重ねと関連した別個のフラップ又は分離可能なフラップ部分を有してもよく、各積み重ねの開放可能な分配領域内のラッパーが、フラップ又はフラップ部分のそれぞれに貼り付けられる。
【００１４】
閉鎖部材が、後壁と枢動可能に接続された押し上げ式蓋を備えてもよく、包装アセンブリが、閉鎖位置で蓋を解放可能に固定するための締結配列を有する。締結配列が、閉鎖位置で蓋を解放可能に保持するために、蓋及び前壁上に共動形成物を備えてもよい。前壁中に画定される少なくとも１つの開口があり、少なくとも１つの開口を通して、少なくとも１つの積み重ね中の製品の少なくとも最前方の１つの露出された領域が、製品をラッパー及びカートンから出すように係合され得る場合、前壁上の共動形成物が、製品が分配され得る前壁と後壁との間の、開口と開口部との間に位置する前壁の一部上に提供されてもよい。
【００１５】
包装アセンブリが、内部体積内で並んで配列される、細長い可食性製品の少なくとも２つの積み重ねを備えてもよく、製品の各積み重ねが、可撓性外側ラッパーによって少なくとも部分的に包囲される。
【００１６】
その又は各可撓性外側ラッパーが、カートンに接着されてもよい。
【００１７】
各積み重ねの細長い可食性製品が可撓性ラッパーによって部分的にのみ包み込まれる場合、その又は各可撓性外側ラッパーが、一方の端部の周囲でそのそれぞれの積み重ねを包み込んでもよく、積み重ね中の製品の他方の端部が、ラッパーを越えて突出する。
【００１８】
カートンが、折り畳み可能な材料のブランクから形成されてもよい。
【００１９】
カートンが、後壁、前壁、端壁、及び閉鎖部材のみからなってもよく、前壁及び後壁の両方が、その又は各可撓性外側ラッパーに貼り付けられる。本実施形態では、カートンの側面は開放し、側壁はない。あるいは、カートンはまた、内部体積を画定するように、後壁と前壁との間に延在する、一対の対向した側壁を備えてもよい。
【００２０】
細長い可食性製品は全て個々に包装されてもよく、ガムスティックであってもよい。
【００２１】
本発明の第２の態様によると、本発明の第１の態様に従って包装アセンブリを製造する方法が提供され、方法は、カートンを形成するための折り畳み可能な材料のブランクを生成する工程と、可撓性外側ラッパー中に、細長い可食性製品の少なくとも１つの積み重ねを少なくとも部分的に包み込む工程と、ブランク上に少なくとも１つの部分的に包み込まれた積み重ねを位置付ける工程と、その又は各可撓性外側ラッパーをブランクに貼り付ける工程と、カートンを形成するために少なくとも部分的に包み込まれた積み重ねの周囲でブランクを折り畳み、適切な位置で固定する工程とを含む。
【００２２】
その又は各可撓性外側ラッパーをブランクに貼り付ける工程が、カートンが完全に形成される前に実施されてもよい。その又は各可撓性外側ラッパーをブランクに貼り付ける工程が、内部体積を画定するように、ブランクが積み重ねの周囲で折り畳まれる前に実施されてもよい。
【００２３】
その又は各可撓性外側ラッパーが、内部体積を画定するように、ブランクが少なくとも１つの積み重ねの周囲で折り畳まれる前に、ブランクの第１の部分に貼り付けられてもよく、ブランクを折り畳む工程中、ブランクの更なる部分に貼り付けられる。
【００２４】
本発明の第３の態様によると、内部体積を画定するように、対向した後壁及び前壁と、一方の端部において後壁及び前壁を相互接続する端壁とを有する、カートンを備える、包装アセンブリが提供され、カートンが、製品が分配され得る、前記一方の端部とは反対の第２の端部において、前壁と後壁との間の開口部を画定し、かつ後壁から突出し、内部体積中に製品を保持するために、それが開口部を閉鎖する、閉鎖位置と、製品が開口部を通して分配され得る、製品分配位置との間で移動可能な、閉鎖部フラップを有し、製品がラッパー及びカートンから出されることを可能にするために、少なくともフラップが製品分配位置にあるとき、包装アセンブリが、内部体積内に位置する、細長い可食性製品の少なくとも１つの積み重ねを備え、少なくとも１つの積み重ね中の製品が、前壁から後壁への方向に縦に並んで位置付けられ、少なくとも１つの積み重ねが、カートンに貼り付けられた可撓性外側ラッパーによって包囲され、開放可能な分配領域が、１つ以上の脆弱線によってラッパー中に画定され、開放可能な分配領域内のラッパーがその閉鎖位置でフラップに貼り付けられ、配列が、フラップの分配位置への最初の移動で、ラッパーが脆弱線に沿って裂け、ラッパーの開放可能な分配領域がフラップに取り付けられたまま残り、細長い製品のうちの少なくとも最前方の１つの端部領域を露出させるようにし、上記の露出された端部領域が係合可能になるように構成される。
【００２５】
本発明の第４の態様によると、本発明者の第１及び第３の態様のいずれか、又は本発明の第２の態様に従ったパッケージアセンブリを製造する方法に従った、包装アセンブリで使用するためのカートンを形成するためのブランクが提供され、ブランクが、折り畳み可能な材料の細長く実質的に矩形のシートを備え、シートが、第１の折り目によって下側端壁パネルに接続される前壁パネル、及び第２の折り目によって下側端壁パネルに接続され、第３の折り目によって第１の折り畳み可能なフラップパネルに接続される後壁パネルを画定するように、実質的に平行な折り目によって分割され、第１の折り畳み可能なフラップパネルが、第４の折り目によって第２の折り畳み可能なフラップパネルと、後壁パネルと反対側の側面で接続される。
本明細書は、例えば、以下の項目も提供する。
（項目１）
内部体積を画定するように、対向した後壁及び前壁と、一方の端部において前記後壁及び前壁を相互接続する端壁とを有するカートンを備える包装アセンブリであって、前記カートンが、製品が分配され得る、前記一方の端部とは反対の第２の端部において、前記前壁と後壁との間の開口部を画定し、かつ前記内部体積中に製品を保持するために、前記開口部を閉鎖する閉鎖位置と、製品が前記開口部を通して分配され得る製品分配位置との間で移動可能な閉鎖部材を有し、前記包装アセンブリが、前記内部体積内に位置する、細長い可食性製品の少なくとも１つの積み重ねを備え、前記少なくとも１つの積み重ね中の前記製品が、前記前壁から前記後壁への方向に縦に並んで位置付けられ、前記少なくとも１つの積み重ねが、可撓性外側ラッパーによって、一方の端部の周囲で少なくとも部分的に包囲され、前記ラッパーが前記カートンに貼り付けられる、包装アセンブリ。
（項目２）
前記製品が前記ラッパー及び前記カートンから出されることを可能にするために、少なくとも前記閉鎖部が前記製品分配位置にあるとき、前記ラッパーが細長い可食性製品の前記積み重ねを部分的にのみ包囲し、前記少なくとも１つの積み重ね中の前記製品のうちの少なくとも最前方の１つの端部領域が、前記ラッパーから突出し、かつ係合可能である、項目１に記載の包装アセンブリ。
（項目３）
前記製品が前記ラッパー及び前記カートンから出されることを可能にするために、少なくとも前記閉鎖部が前記製品分配位置にあるとき、前記ラッパーが細長い可食性製品の前記積み重ねを完全に包囲し、前記ラッパーが、前記積み重ねの一方の端部において開放可能な分配領域を画定する、少なくとも１つの脆弱線を有し、前記開放可能な分配領域中の前記ラッパーが前記閉鎖部に貼り付けられ、前記閉鎖部の前記製品分配位置への最初の移動で、前記ラッパーが前記少なくとも１つの脆弱線に沿って裂け、前記少なくとも１つの積み重ね中の前記製品のうちの少なくとも最前方の１つの端部領域を露出させるようにし、前記包装アセンブリが、いったん開放されると、前記露出された端部領域が係合可能になるように構成される、項目１に記載の包装アセンブリ。
（項目４）
少なくとも１つの開口が、前記前壁中に画定され、前記少なくとも１つの開口を通して、前記少なくとも１つの積み重ね中の前記製品のうちの少なくとも最前方の１つの前記端部領域が、前記製品を前記ラッパー及び前記カートンから出すように係合され得る、項目２又は３に記載の包装アセンブリ。
（項目５）
前記前壁が前記後壁よりも短く、前記少なくとも１つの積み重ねが、前記少なくとも１つの積み重ね中の少なくとも最前方の製品の前記端部領域が、前記閉鎖部材が前記分配位置にあるとき、前記製品が前記ラッパー及び前記カートンから出されることを可能にするように係合可能であるように、前記前壁の上縁を越えて突出する、項目２又は３に記載の包装アセンブリ。
（項目６）
前記閉鎖部材が、前記後壁と枢動可能に接続されたフラップを備え、前記フラップが、前記閉鎖位置にあるとき、前記製品の端部の周囲に延在し、前記前壁の少なくとも一部と重なり合い、前記包装アセンブリが、前記閉鎖位置で前記フラップを解放可能に固定するための締結配列を有する、項目１〜５のいずれか一項に記載の包装アセンブリ。
（項目７）
前記閉鎖部材が、前記後壁と枢動可能に接続された押し上げ式蓋を備え、前記包装アセンブリが、前記閉鎖位置で前記蓋を解放可能に固定するための締結配列を有する、項目１〜５のいずれか一項に記載の包装アセンブリ。
（項目８）
前記締結配列が、前記閉鎖位置で前記蓋を解放可能に保持するために、前記蓋及び前記前壁上に共動形成物を備える、項目７に記載の包装アセンブリ。
（項目９）
前記包装アセンブリが、前記内部体積内で並んで配列される、細長い可食性製品の少なくとも２つの積み重ねを備え、製品の各積み重ねが、可撓性外側ラッパーによって少なくとも部分的に包囲される、項目１〜８のいずれか一項に記載の包装アセンブリ。
（項目１０）
前記包装アセンブリが、前記内部体積内で細長い可食性製品の単一の積み重ねからなり、製品の前記積み重ねが、可撓性外側ラッパーによって少なくとも部分的に包囲される、項目１〜８のいずれか一項に記載の包装アセンブリ。
（項目１１）
前記又は各可撓性外側ラッパーが、前記カートンに接着される、項目１〜１０のいずれか一項に記載の包装アセンブリ。
（項目１２）
前記又は各可撓性外側ラッパーが、一方の端部の周囲で細長い可食性製品のそのそれぞれの積み重ねを包み込み、前記積み重ね中の前記製品の他方の端部が、前記ラッパーを越えて突出する、項目２に記載の包装アセンブリ。
（項目１３）
前記カートンが、折り畳み可能な材料のブランクから形成される、項目１〜１２のいずれか一項に記載の包装アセンブリ。
（項目１４）
前記カートンが、前記後壁、前記前壁、前記端壁、及び前記閉鎖部材のみからなり、前記前壁及び後壁の両方が、前記又は各可撓性外側ラッパーに貼り付けられる、項目１〜１３のいずれか一項に記載の包装アセンブリ。
（項目１５）
前記カートンがまた、前記内部体積を画定するように、前記後壁と前壁との間に延在する一対の対向した側壁も備える、項目１〜１３のいずれか一項に記載の包装アセンブリ。
（項目１６）
前記細長い可食性製品が全て個々に包装される、項目１〜１５のいずれか一項に記載の包装アセンブリ。
（項目１７）
前記細長い可食性製品がガムスティックである、項目１〜１６のいずれか一項に記載の包装アセンブリ。
（項目１８）
項目１〜１７のいずれか一項に記載の包装アセンブリを製造する方法であって、前記カートンを形成するための折り畳み可能な材料のブランクを生成する工程と、可撓性外側ラッパー中に、細長い可食性製品の少なくとも１つの積み重ねを少なくとも部分的に包み込む工程と、前記ブランク上に前記少なくとも１つの積み重ねを位置付ける工程と、前記又は各可撓性外側ラッパーを前記ブランクに貼り付ける工程と、前記カートンを形成するために前記積み重ねの周囲で前記ブランクを折り畳み、適切な位置で固定する工程と、を含む、方法。
（項目１９）
前記又は各可撓性外側ラッパーを前記ブランクに貼り付ける前記工程が、前記カートンが完全に形成される前に実施される、項目１８に記載の方法。
（項目２０）
前記又は各可撓性外側ラッパーを前記ブランクに貼り付ける前記工程が、前記内部体積を画定するように、前記ブランクが前記積み重ねの周囲で折り畳まれる前に実施される、項目１９に記載の方法。
（項目２１）
前記又は各可撓性外側ラッパーが、前記内部体積を画定するように、前記ブランクが前記少なくとも１つの積み重ねの周囲で折り畳まれる前に、前記ブランクの第１の部分に貼り付けられ、前記ブランクを折り畳む前記工程中、前記ブランクの更なる部分に貼り付けられる、項目２０に記載の方法。
【図面の簡単な説明】
【００２６】
本発明がより明確に理解され得るようにするために、ここで、その実施形態が添付の図面を参照してほんの一例として記載される。
【図１】閉鎖構成で示される、本発明の一実施形態に従った包装アセンブリの正面図である。
【図２】図１と同様であるが、開放構成で示される包装アセンブリを示す図である。
【図３】包装アセンブリからの製品の取り出しを示す、図１及び２の包装アセンブリの正面からの部分図である。
【図４】部分的に組み立てられた状態のアセンブリを示す、図１〜３の包装アセンブリの正面図である。
【図５】図１〜４の包装アセンブリの一部を形成するカートンのための、折り畳み可能なブランクの平面図である。
【図６】開放構成で示される、本発明の更なる実施形態に従った包装アセンブリの正面図である。
【図７】閉鎖構成のパッケージアセンブリを示す、図６の包装アセンブリの側面図である。
【図８】閉鎖部フラップがアセンブリ中の製品の端部の周囲で折り畳まれる前の、部分的に組み立てられた状態で示される、本発明のなお更なる実施形態に従った包装アセンブリの正面図である。
【図９】閉鎖構成のパッケージアセンブリを示す、図８の包装アセンブリの側面図である。
【図１０】最初の開口後のアセンブリを示す、図８及び９の包装アセンブリの正面図である。
【図１１】図６及び７の包装アセンブリの一部を形成するカートンのための、折り畳み可能なブランクの平面図である。
【発明を実施するための形態】
【００２７】
本発明に従った包装アセンブリ１０の第１の実施形態が、図１〜５に示される。
【００２８】
パッケージアセンブリは、厚紙、板紙等の折り畳み可能な材料のブランク１４から形成される、カートン１２を備える。カートンは、内部体積２５を画定するように、後壁１６、対向した前壁１８、一方の端部において後壁及び前壁を相互接続する端壁２０、並びに反対側の側面に沿って後壁及び前壁１６、１８を相互接続する、対向した側壁２２、２４を有する。分配開口部２６は、端壁２０と反対の端部において、後壁及び前壁１６、１８の間に画定される。カートンは、ヒンジ２９によって端壁２０と反対の端部において後壁１６に枢動可能に取り付けられる、押し上げ式蓋２８の形態の再閉鎖可能な閉鎖部材を含む。
【００２９】
便宜上、これは、カートンが図面に示され、かつ使用者が製品を分配するとき、カートンが多くの場合に保持される配向であるため、端壁２０を備えるカートン１２の端部は、下端と称され、蓋２８が位置する端部は、上端と称される。また、同様の用語が、全体的に包装アセンブリに関して使用される。しかしながら、包装ディスペンサー１０及びカートン１２が多くの異なる配向で保持及び使用され得ることが理解されるべきである。説明及び特許請求の範囲中の上、下、前、及び後等の方向の用語の使用は、この文脈において理解されるべきである。
【００３０】
蓋２８は、蓋の前方の縁部が分配開口部２６を閉鎖するように前壁１８の上に位置する、図１に示されるような閉鎖位置、及び蓋が、製品が分配開口部２６を通して分配されることを可能にするように後方に枢動する、図２に示されるような分配位置から移動可能である。ツメ３０は、閉鎖位置で蓋を解放可能に保持するために、蓋の内表面上の形成物との係合のために、前壁１８の上縁３２から下向き及び外向きに突出する。以下により詳細に考察されるように、使用者が分配開口部を通して製品を移動させるように製品を係合することを可能にするために、分配開口部２６に近接して前壁１８中に開口３３が提供される。
【００３１】
カートンを形成するための折り畳み可能な材料１４のブランクが図５に示される。ブランクは、厚紙、板紙等の任意の好適な材料で作られ得る。材料は、情報を提供するように、かつ商標、ロゴ、及び他のグラフィックデザイン特性を含むように印刷されてもよい。
【００３２】
ブランク１４は、右から左に、第１の側壁パネル３４、後壁パネル３６、第２の側壁パネル３８、前壁パネル４０、糊フラップ４２を備え、パネル及びフラップは、それぞれの折り目４２、４４、４６、４８によって分離される。ブランク１４は、カートンの前壁１６、後壁１８、及び側壁２２、２４を生成するために、折り目４２、４４、４６、４８の周囲で折り畳まれる。糊フラップ４２は、ブランクをその折り畳まれた状態で保持するために、第１の側壁パネル３４の内表面に貼り付けられる。カートンの端壁２０は、折り目５２によって後壁パネル３６の下端から分離される、第１の端壁フラップ５０、折り目５６によって前壁パネル４０の下端から分離される、第２の端壁フラップ５４、及び個々の折り目６２、６４によって側壁パネル３４、３８の下端からそれぞれ分離される、一対の端壁ツメ５８、６０によって、既知の方法で形成される。ツメ３０を形成するためのフラップ６６は、折り目６８によって前壁パネル４０の上端に取り付けられる。
【００３３】
押し上げ式蓋２８を生成するために、ブランク１４は、折り目７２によって後壁パネル３６の上縁に接続された第１の蓋パネル７０、及び更なる折り目７６によって第１の蓋パネル７０に接続された第２の蓋パネル７４を有する。第１及び第２の蓋パネル７０、７４は、折り目７６の周囲で互いに対して折り畳まれて、勾配屋根と同様の三角形状を形成する。蓋の側面は、折り目８２、８４によって第１の蓋パネル７０の反対の側に折り畳み可能に取り付けられるツメ７８、８０によって形成される。各ツメは、２つの部分に分離される：蓋の側壁を形成し、斜線８８の周囲で折り畳まれる、第１の部分８６、及び２つの蓋パネルをそれらの折り畳まれた構成で保持するために、第２の蓋パネル７４の内表面に取り付けられる、第２の部分９０。各ツメの第２の部分９０は、閉鎖位置で蓋２８を保持するために、ツメ３０と共動する隣接縁部９２を画定するように形状決定される。他の実施形態では、斜線の折り目８８は省略され得る。
【００３４】
ブランクの部分は、折り畳み前にブランクに予め塗布されてもよく、又はカートンを形成するためにブランクを折り畳むプロセスの一部として塗布されてもよい、任意の好適な接着剤を使用して、完成したカートンを形成するために、折り畳み後に一緒に付着され得る。
【００３５】
カートンの後壁、前壁、側壁、及び端壁１６、１８、２２、２４、２０は、ガムスティック１０２、１０４の２つの積み重ねが並んで含有される、内部体積２５を画定する。各積み重ね１０２、１０４は、カートンの前壁１８から後壁１６の方向に縦に並んで位置付けられる、複数の個々に包装されたガムスティック１０６を備える。各積み重ね中の包装されたスティック１０６の数は、本発明の重要な要素ではなく、各積み重ねは典型的に、例えば、５〜１２本の範囲のスティックを含有し得る。しかしながら、所望に応じて、各積み重ね中でこれよりも多い又は少ないスティックがあってもよい。個々のガムスティック１０６は、複合又は積層材料を含む、任意の好適な材料のラッパーで包装され得る。例えば、各ガムスティック１０６は、金属箔外側層及び紙又は薄片内側層を含むラッパーで包装されてもよい。ポリマー材料で作られる又はそれを含むラッパーもまた、各個々のガムスティック１０６を包装するために使用され得る。
【００３６】
個々に包装されたガムスティック１０６の各積み重ね１０２、１０４は、パケットアセンブリ１０９を形成するために、可撓性材料１０８の外側ラッパー中に部分的に包み込まれ、ガムスティックの少なくとも１つの端部領域１０６ａは、外側ラッパー１０８から突出している。外側ラッパー中に包み込まれていない各ガムスティック１０６の領域又は複数の領域１０６ａは、露出された領域と称される。本実施形態では、外側ラッパー１０８は、他方の端部がラッパーから外へ突出するように、ガムスティックの積み重ねの一方の端部を包み込む。パケットアセンブリ１０９は、外側ラッパー１０８を有する端部が端壁２０に隣接するカートンの下端に位置するように、カートン内に位置付けられ、スティックの露出された端部領域は、カートンから上端に向かって突出する。これは、図３に示されるように、蓋２８が分配位置にあるとき、ガムスティック１０６が外側ラッパー１０８から外へ、かつ分配開口２６を通して外へ滑り出されることを可能にする。
【００３７】
消費者がガムスティックを取り出すことを補助するために、前壁１８中の開口３３は、スティック１０６の露出された端部領域１０６ａと整合される。これは、消費者が、例えば彼らの親指を使用して、各積み重ね中の最前方のガムスティック１０６の露出された領域を係合し、蓋２８が開放、分配位置にあるとき、外側ラッパー１０８から外へ、かつ分配開口部２６を通して外へスティックを滑り出すことを可能にする。１つ以上のガムスティックを分配した後、蓋２８は、それが蓋２８中の側面ツメの隣接縁部９２とツメ３０の係合によって閉鎖されて保持される、閉鎖位置に移動させられ得る。これは、カートン中で残りのガムスティックをしっかりと保持する。更に、ガムスティックが外側ラッパー１０８中に部分的に包囲されるため、それらはカートン内で直立位置でしっかりと保持され、いくつかが各積み重ねから取り出された後、又は積み重ねのうちの１つが空になったときでさえ、横倒れしない。各パケットアセンブリ１０９の外側ラッパー１０８は、接着剤によって、又は溶接等の任意の他の好適な手段によって、それを適切な位置で保持するために、カートンに貼り付けられる。コールドシール接着剤を含む任意の好適な接着剤が使用され得る。外側ラッパー１０８は、複合又は積層材料を含む任意の好適な材料から作られ得る。例えば、外側ラッパーは、ポリマー材料、金属箔、紙等、又はそれらの組み合わせ等の材料で作られ得る。外側ラッパー１０８は、各ガムスティックのための個々のラッパーのように、印刷されてもよい。個々に包装されてもよい個々のガムスティック１０６の少なくとも一部は、外側ラッパーの内側の定位置でそれらを保持するために、外側ラッパー１０８の内側及び／又は互いに解放可能に付着されてもよい。コールドシール接着剤であってもよい接着剤等の任意の好適な付着方法が使用され得る。付着強度は、予想外の取り外しに対して定位置でスティック１０６を保持するのに十分であるべきだが、消費者による容易な分配を妨げるほど十分に強力であるべきではない。
【００３８】
パッケージアセンブリ１０の製造方法がここで説明される。
【００３９】
パケットアセンブリ１０９を形成するために、ガムスティック１０６は最初に個々に包装され、次いで積み重ね１０２、１０４中に配列され、外側ラッパー１０８が積み重ねの一方の端部の周囲に適用される。次いで、ブランクが内部体積２５を画定するように折り畳まれる前に、２つのパケットアセンブリ１０９が、ブランク１４上に並んで位置付けられる。図４に示されるように、パケットアセンブリは便利に、ブランク１４の後壁パネル３６に位置付けられ、かつ接着され得る。次いで、ブランク１４は、通常の方法で完成したカートンを形成するために、パケットアセンブリの周囲で折り畳まれる。パケットアセンブリ１０９の外側ラッパー１０８をブランクの後壁パネル３６に貼り付ける工程に加えて、外側ラッパーはまた、更なる安定のために、ブランクが折り畳まれる際に、前壁パネル４０及び／又は側壁パネル３４、３８のうちの１つ以上に貼り付けられ得る。典型的には、前壁及び側壁パネル３４、３８、４０は最初に、パケットアセンブリ１０９の周囲で折り畳まれ、糊ツメ４２を使用して適切な位置で固定される。次いで、端壁フラップ５０、５４及びツメ５８、６０を折り畳み、接着剤を使用して適切な位置で固定することによって、端壁２０が形成される。図４に示されるように、蓋２８は、ブランクの残部がパケットアセンブリの周囲で折り畳まれる前に、実際には、パケットアセンブリがブランク１４上に位置する前でさえ、形成され得る。しかしながら、これは必須ではなく、蓋２８は、ブランクがパケットアセンブリの周囲で折り畳まれた後、又は同時に形成され得る。当業者は、ある特定の工程が実施される正確な順序が変更され得ることを理解するであろう。
【００４０】
製造方法は、ガムスティック１０６が外側ラッパー１０８によってそれらの積み重ね中でしっかりと保持され、それらが、ブランクがカートン中に形成される際に、ブランク１４上の適切な位置で保持されるため、有利である。これは、例えば、並んだガムスラブの配列を含有するカートンを形成するための既知の配列と比較して、製造方法を簡易化する。外側ラッパー１０８は、消費者によって妥当なレベルの力を使用して、外側ラッパーからガムスティックを滑り出させることができないほどきつくはないが、ガムスティック１０６を一緒にしっかりと保持するために、それらの積み重ねの周囲に位置付けられる。
【００４１】
本発明に従った包装アセンブリ１０及びその製造方法は、カートン型パッケージ及び可撓性パケット配列の両方よりも多くの利点を提供する。
【００４２】
「特許請求の範囲」によって定義される本発明の範囲から逸脱することなく、種々の変更が包装アセンブリ１０に行われ得ることが理解されるであろう。例えば、カートンは、押し上げ式蓋を有する必要はなく、代替の再閉鎖可能な閉鎖部材が提供され得る。例えば、カートンは、後壁から延在する再閉鎖可能なフラップを有し得、それは、閉鎖位置にあるとき、製品の頂部の上及び前壁１８の上で折り畳まれる。フラップの端部は、それを閉鎖位置で保持するために、前壁中のスリットと係合するように配列され得るが、フラップを閉鎖位置で保持するための任意の好適な配列が使用され得る。フラップを使用する利点は、フラップが、それが閉鎖位置にあるとき、前壁１８中の開口３３を被覆し得ることである。
【００４３】
本発明に従った包装アセンブリ２１０の第２の実施形態が、ここで図６及び７を参照して説明される。
【００４４】
第２の実施形態に従った包装アセンブリ２１０は、後壁２１６、前壁２１８、下側端壁２２０、及び折り畳み可能なフラップ２２８の形態の閉鎖部材を有する、簡易化したカートン２１２を有し、閉鎖部材は、後壁の上端から延在し、閉鎖位置にあるとき、図７に示されるように前壁２１８の一部を覆う。フラップを閉鎖位置で保持するためにフラップの端部が挿入され得る、スロット２３０が前壁中に提供される。最初に形成されるとき、フラップ２２８は、カートンを再閉鎖するために、最初の開口後にフラップがスロット２３０中に挿入されるのみであるように、接着剤によって閉鎖位置で保持されてもよい。カートン２１２は側壁を有しないため、後壁、前壁、及び端壁２１６、２１８、２２０、並びに閉鎖部フラップ２２８を線引きする好適な折り目を有する、折り畳み可能な材料の単純な細長いブランク（図示せず）から形成され得る。本実施形態では、カートンの側面は開放し、したがって、ガムスティックの包装された積み重ねの側面を露出させる。
【００４５】
カートンの後壁、前壁、及び端壁２１６、２１８、２２０は、細長い個々に包装されたガムスティック２０６の２つの積み重ね２０２、２０４が並んで保持される、内部体積２２５を画定する。カートンのための分配開口部２２６は、前壁２１８の上縁２１８Ａとカートンの対向した後壁２１６との間に画定される。第１の実施形態と同様に、パケットアセンブリ２０９を形成するために、ガムスティック２０６の各積み重ねは、外側ラッパー２０８によって下端の周囲で部分的に包囲される。ガムスティック２０６は、上端において外側ラッパーから外へ突出する。カートンの少なくとも後壁２１６及び前壁２１８は、パケットアセンブリの外側ラッパー１０８に付着され、それらを適切な位置で保持し、パケットアセンブリがカートンから落ちないことを確実にする。
【００４６】
カートンの前壁２１８は、外側ラッパー２０８から突出するガムスティックの露出された端部領域が、前壁の上縁２１８Ａを越えて突出するように、後壁２１６より短い。図６に示されるように、閉鎖部フラップ２２８が開放、製品分配位置にあるとき、各積み重ね中の少なくとも最前方のガムスティック２０６の露出された領域は、外側ラッパー２０８から外へ、したがって分配開口部２２６を通してカートンから外へスティックを出すために、消費者によって係合され得る。
【００４７】
１つ以上のガムスティック２０６が分配された後、残りのガムスティックをカートン中で保持するために、フラップ２２８は、ガムスティック２０６の露出された端部の上で折り畳まれ、スロット２３０中に挿入され得る。
【００４８】
第２の実施形態に従った包装アセンブリ２１０は、第１の実施形態と同様の方法で製造され得る。パケットアセンブリ２０９を形成するために、ガムスティック２０６は最初に個々に包装され、次いで積み重ね２０２、２０４中に配列され、外側ラッパー２０８が積み重ねの一方の端部の周囲に適用される。ブランクが内部体積を画定するように折り畳まれる前に、２つのパケットアセンブリが、ブランク２１４上に並んで位置付けられる。典型的には、端部及び前壁２２０、２１８を形成するために、パケットアセンブリ２０９がブランクの後壁パネル上に位置付けられ、かつそれに接着され、ブランクは、パケットアセンブリの周囲で折り畳まれる。少なくとも前壁もまたパケットアセンブリの外側ラッパー２０８に接着されるが、端壁もまた更なる安定のために接着されてもよい。
【００４９】
カートン２１２を形成するためのブランク２１４が図１１に示される。ブランクは、厚紙又は板紙等、折り畳み可能な材料の細長く実質的に矩形のシートを備える。折り畳み可能なフラップ２２８を形成するための前壁パネル２４０、下側端壁パネル２５０、後壁パネル２３６、及びパネル２７０、２７４を画定するように、離間した平行の折り目２５２、２５６、２７２、２７６によってブランク２１４が分割される。スロット２３０が前壁パネル中に提供され、フラップパネル２７４の自由端２８０が、スロットへの挿入のためのツメ部分を画定するように形状決定されてもよい。接着剤の領域２８２、２８４は、ガムスティック２２０２、２０４の包装された積み重ねとの係合のために、後壁パネル２３６及び前壁パネル２４０の内表面に適用されてもよい。接着剤の領域はまた、下側端壁パネルにも適用されてもよい。第１のフラップパネル２７０は、カートンが閉鎖されたとき、上端壁を画定する。
【００５０】
本発明に従った包装アセンブリ３１０の第３の実施形態が、ここで図８〜１０を参照して説明される。
【００５１】
第３の実施形態に従った包装アセンブリ３１０は、第２の実施形態２１０と構造及び動作が同様である。したがって、第２の実施形態の包装アセンブリ２１０とは異なる第３の実施形態の包装アセンブリ３１０の態様のみが、詳述される。全ての態様において、読み手は、上記の第２の実施形態の包装アセンブリ２１０の説明を参照するべきである。
【００５２】
包装アセンブリ３１０は、それが細長い個々に包装されたガムスティックの単一の積み重ね３０２のみを含有するという点で、包装アセンブリ２１０とは異なる。カートン３１２は適宜寸法決定されるが、そうでなければ上記の第２の実施形態のカートン２１２と同一の方法で構築される。
【００５３】
他の有意な違いは、前の実施形態とは異なり、第３の実施形態中のラッパー３０８が最初に、積み重ね３０２中で積み重ねガムスティック３０６を完全に包囲することである。開放可能な分配領域３４２を画定するように、前壁３１８の上端３１８Ａを越えて突出する領域中のラッパー中に、脆弱線又はパターン３４０が提供される。開放可能な分配領域３４２中のラッパーは、その閉鎖位置でフラップ３２８に付着され、フラップ３２８の開放、分配位置への最初の移動で、開放可能な分配領域３４２がフラップに取り付けられたままであり、ラッパーが脆弱線に沿って裂け、ガムスティックの少なくとも最前方の１つの端部領域が露出されるラッパー中の開口部３４６を露呈するようにし、それが、ラッパー３０８の外へ、したがって分配開口部３２６を通してカートンの外へガムスティックを出すように係合され得るようにする。開放可能な分配領域３４２中のラッパーは、コールドシール接着剤であってもよい接着剤３４４等の任意の好適な手段によって、又は溶接によって、カートンフラップ３２８に付着され得る。
【００５４】
図８〜１０に示される実施形態では、脆弱線３４０は、カートンの前壁の上縁３１８Ａの真上に整合する位置で、ラッパーの前壁３０８Ａ全体にわたって、かつ両方の側壁に部分的にわたって、横方向に延在する（図示せず）。次いで、脆弱線３４０は、前壁に対して上方に、概して平行に、ラッパーの上端壁３０８Ｂの真下の位置まで延在し、そこで、それは再び、両方の側壁の残部にわたって後方に、ラッパーの後壁まで延在し始める。この配列で、パッケージが開放されるとき、ラッパーの前壁全体は、上端壁３０８Ｂ並びに前壁及び端壁に隣接する側壁の部分と一緒に、脆弱線上で取り外される。これは、積み重ね中の最前方のガムスティック３０６の上端部領域中の前面全体を露出し、使用者がラッパー及びカートンから上方にガムスティックを出すことを容易にする。しかしながら、取り外し可能な分配領域３４２は、必ずしもこの構成を採る必要はない。例えば、脆弱線３４０は、必ずしもラッパーの側壁中に延在する必要はなく、ただしカートン３１２の前壁３１８を越えて突出する積み重ねの露出された上端におけるラッパーの十分に大きい領域が、使用者が積み重ね中の最前方のスティック３０６を係合し、それをラッパー及びカートンから出すことを可能にするように取り外されることを条件とする。
【００５５】
前の実施形態と同様に、１つ以上のガムスティック３０６が分配された後、残りのガムスティックをカートン中で保持するために、フラップ２２８は、ガムスティック３０６の露出された端部の上で折り畳まれ、スロット３３０中に挿入され得る。
【００５６】
第３の実施形態に従った包装アセンブリ３１０は、第１及び第２の実施形態と同様の方法で製造され得る。パケットアセンブリを形成するために、ガムスティック３０６は最初に個々に包装され、次いで積み重ね３０２中に配列され、外側ラッパー３０８が積み重ねの周囲に適用される。パケットアセンブリは、ブランクが内部体積を画定するように折り畳まれる前に、ブランク上に位置付けられる。典型的には、前壁３２０、３１８を形成するために、パケットアセンブリがブランクの後壁パネル上に位置付けられ、かつそれに接着され、ブランクは、パケットアセンブリの周囲で折り畳まれる。少なくとも前壁３１８もまたパケットアセンブリの外側ラッパー２０８に接着されるが、端壁もまた更なる安定のために接着されてもよい。フラップ３２８はまた、それが積み重ねの周囲に位置付けられ、閉鎖位置で保持される際、取り外し可能な分配領域３４２内でラッパーに接着される。ブランクは、図１１のブランク２１４と同様であってもよいが、ガムスティック３０６の単一の包装された積み重ねでの使用のために好適に寸法決定されてもよい。
【００５７】
ラッパー中で脆弱線によって画定され、カートンフラップ３２８に接着される、開放可能な分配領域３４２を提供する概念は、ガムスティックの単一の積み重ね３０２を有する実施形態に限定されないが、第２の実施形態２１０等、ガムスティックの２つ以上の個々に包装された積み重ね３０２を有する実施形態で同様に適用され得る。この場合、カートンは、ラッパーのそれぞれの開放可能な分配領域３４２に接着される単一の閉鎖部フラップを有してもよく、フラップの分配位置への最初の移動で、それらが全て同時に開放されるようにする。あるいは、カートンは、各積み重ねに対して別個の閉鎖部フラップ又はフラップ部分を有してもよく、その個々のフラップ又はフラップ部分を持ち上げることによって、各積み重ねが他から独立して開放され得るようにする。例えば、第２の実施形態と同様のガムスティックの２つの個々に包装された積み重ねを有する包装アセンブリにおいて、カートンフラップは、脆弱線によって２つのフラップ部分に分割されてもよい。各フラップ部分は、積み重ねのそれぞれの開放可能な分配領域３４２に貼り付けられる。消費者は、適切なフラップ部分を持ち上げることによって、積み重ねのうちの１つずつのみを開放するように選択することができる。更に、ラッパー中に開放可能な分配領域３４２を提供する概念はまた、押し上げ式蓋又は実際には任意の他の種類の移動可能な閉鎖部を有する、第１の実施形態１０で開示されたようなカートンでの使用に適応され得る。この場合、その又は各開放可能な分配領域３４２は、押し上げ式蓋又は他の移動可能な閉鎖部材に付着され、蓋又は他の閉鎖部材の分配位置への最初の移動で、ラッパーが裂け、ガムスティックが分配されることを可能にするようにする。
【００５８】
本発明は、ガムスティックのための包装に関して記載されてきたが、それは、他の細長い製品、特に他の細長い可食性製品のための包装を提供するように適応され得る。
【００５９】
上記の実施形態は、ほんの一例として記載される。添付の「特許請求の範囲」に定義される本発明の範囲から逸脱することなく、多くの変更が可能である。例えば、各積み重ね中のガムスティック１０６、２０６、３０６の数は、所望に応じて選択され得る。パケットアセンブリ１０９、２０９、３０９の数もまた、単一のパケットアセンブリのみから最大で３つ、４つ、又はそれ以上まで変更され得る。パッケージアセンブリ１０、２１０、３１０はまた、カートンを包み込み、パッケージアセンブリの第１の開口部上で、消費者によって取り外される、外側ラッパー又はフィルムが提供され得る。
【図１】
0006039803.tif 000002
【図２】
0006039803.tif 000003
【図３】
0006039803.tif 000004
【図４】
0006039803.tif 000005
【図５】
0006039803.tif 000006
【図６】
0006039803.tif 000007
【図７】
0006039803.tif 000008
【図８】
0006039803.tif 000009
【図９】
0006039803.tif 000010
【図１０】
0006039803.tif 000011
【図１１】
0006039803.tif 000012